(57)【要約】【課題】固定部分が、着用者の肌にこすれ難く、こすれによる赤みが発生し難く、着用時に、着用後のおむつの形をイメージできる安心感が得られ、使用感が向上する使い捨ておむつを提供すること。【解決手段】本発明の使い捨ておむつ１Ａは、背側領域Ｂにおける吸収性本体１０の両側部１０ｓからＸ方向外方に延出する止着部材６と、腹側領域Ａにおける吸収性本体１０のＸ方向中心の位置より外方の非肌対向面に一端部７１が固定され他端部７２が自由端部となっている延出部材７を有する。止着部材６には、肌対向面に肌側固着材６３と、非肌対向面に非肌側固着材６４が設けられている。おむつ１Ａの着用時には、肌側固着材６３を介して延出部材７と止着部材６が合掌状に固定され、合掌状に固定された延出部材７及び止着部材６が、背側領域Ｂ側に折り返され、非肌側固着材６４を介して吸収性本体１０の背側領域Ｂの非肌対向面に固定される。【選択図】図１
2015089468.tif 000002
【特許請求の範囲】
【請求項１】
腹側領域、背側領域及び股下領域に区分された縦長の吸収性本体を備える展開型の使い捨ておむつであって、
背側領域における前記吸収性本体の長手方向に沿う両側部それぞれから、幅方向外方に延出する止着部材と、腹側領域における前記吸収性本体の幅方向中心の位置より外方の非肌対向面に一端部が固定され他端部が自由端部となっている延出部材とを有し、
前記止着部材には、その肌対向面に肌側固着材が設けられ、その非肌対向面に非肌側固着材が設けられており、
着用時においては、前記肌側固着材を介して前記延出部材と前記止着部材とが合掌状に固定され、合掌状に固定された前記延出部材及び前記止着部材が、背側領域側に折り返され、前記非肌側固着材を介して前記吸収性本体の前記背側領域の非肌対向面に固定される展開型の使い捨ておむつ。
【請求項２】
前記止着部材における肌側固着材及び非肌側固着材は機械的面ファスナーのフック材である請求項１記載の使い捨ておむつ。
【請求項３】
前記延出部材及び前記止着部材は、それぞれ、伸縮性を有している請求項１又は２に記載の展開型の使い捨ておむつ。
【請求項４】
前記延出部材は、複数本設けられており、各該延出部材の一端部が幅方向に並んで配されている請求項１〜３の何れか１項に記載の展開型の使い捨ておむつ。
【請求項５】
前記延出部材は、該延出部材の一端部が、前記吸収性本体の幅方向中心の位置から前記吸収性本体の長手方向に沿う側部外縁の間に配されている請求項１〜４の何れか１項に記載の展開型の使い捨ておむつ。
【請求項６】
前記延出部材は、その他端部側における、前記止着部材と合掌状に固定される面とは反対側の面に、先端側固着材が設けられており、該先端側固着材は、機械的面ファスナーのフック材又は接着剤であり、使用前においては、該先端側固着材を介して前記延出部材の他端部側が、前記吸収性本体の前記腹側領域に仮固定されている請求項１〜５の何れか１項に記載の展開型の使い捨ておむつ。
【請求項７】
前記先端側固着材は、機械的面ファスナーのフック材であり、該先端側固着材で使用前に仮固定される対象面は、前記フック材と係合可能な不織布である請求項６記載の使い捨ておむつ。
【請求項８】
前記先端側固着材は、接着剤であり、該先端側固着材で使用前に仮固定される対象面は、剥離処理されたフィルム又は不織布である請求項６記載の使い捨ておむつ。
【発明の詳細な説明】
【技術分野】
【０００１】
本発明は、成人用或いは子供用等の展開型の使い捨ておむつに関する。
【背景技術】
【０００２】
一般的に、展開型の使い捨ておむつは、背側領域の両側部に取り付けられた係合部材を腹側領域の非肌対向面に係合させて着用される。このように腹側領域に係合させた部分が存在すると、該係合させた部分が着用者のそけい部、お腹、或いは脚にこすれる場合がある。このようにこすれてしまうと、赤みが発生してしまい使用感が低下してしまう。
【０００３】
これとは別の技術として、特許文献１には、背側領域に一対の機械的面ファスナーを備える係合部材を有し、腹側領域に、背側領域の係合部材を挟み込むようにして固定する機械的面ファスナーを備える受容部材を有する展開型の使い捨ておむつが開示されている。特許文献１に記載の展開型の使い捨ておむつによれば、背側領域の係合部材を腹側領域の受容部材で挟み込むようにして固定して着用されるため、機械的面ファスナーどうしが他方向的に係合し固定力が向上する。
【０００４】
しかし、特許文献１に記載の展開型の使い捨ておむつにおいても、背側領域の係合部材の備える機械的面ファスナーと腹側領域の受容部材の備える機械的面ファスナーとが係合した部分が、腹側領域に存在し、該係合した部分が着用者のそけい部、お腹、或いは脚にこすれる場合があり、使用感が低下してしまう。
【０００５】
本出願人は、先に、ファスニングテープが設けられた側を、着用者の背側及び腹側の何れの側に位置させても容易に着用することができる展開型の使い捨ておむつを提案した（特許文献２参照）。特許文献２に記載の展開型の使い捨ておむつによれば、ファスニングテープが設けられた側を着用者の腹側とすれば、ファスニングテープの係合する部分が着用者の背側となり、該係合する部分が着用者のそけい部、お腹、或いは脚にこすれる場合が殆どなく、こすれによる赤みが発生し難く、使用感が向上する。
【先行技術文献】
【特許文献】
【０００６】
【特許文献１】特表２００４-５０５６７２号公報
【特許文献２】特開２００４-２９０６４６号公報
【発明の概要】
【発明が解決しようとする課題】
【０００７】
しかし、特許文献２に記載の展開型の使い捨ておむつによれば、着用時に、着用後のおむつの形をイメージすることなく着用することになってしまう。着用後のおむつの形をイメージできれば、安心感が向上する。このような安心感を更に持ちたいとのニーズに対して、更なる改良の余地があった。
【０００８】
したがって本発明は、前述した従来技術が有する欠点を解消し得る展開型の使い捨ておむつを提供することにある。
【課題を解決するための手段】
【０００９】
本発明は、腹側領域、背側領域及び股下領域に区分された縦長の吸収性本体を備える展開型の使い捨ておむつであって、背側領域における前記吸収性本体の長手方向に沿う両側部それぞれから、幅方向外方に延出する止着部材と、腹側領域における前記吸収性本体の幅方向中心の位置より外方の非肌対向面に一端部が固定され他端部が自由端部となっている延出部材とを有し、前記止着部材には、その肌対向面に肌側固着材が設けられ、その非肌対向面に非肌側固着材が設けられており、着用時においては、前記肌側固着材を介して前記延出部材と前記止着部材とが合掌状に固定され、合掌状に固定された前記延出部材及び前記止着部材が、背側領域側に折り返され、前記非肌側固着材を介して前記吸収性本体の前記背側領域の非肌対向面に固定される展開型の使い捨ておむつを提供するものである。
【発明の効果】
【００１０】
本発明によれば、背側領域と腹側領域との固定部分が、着用者の肌にこすれ難く、こすれによる赤みが発生し難く、更に、着用時に、着用後のおむつの形をイメージできる安心感が得られ、使用感が向上する。
【図面の簡単な説明】
【００１１】
【図１】図１は、本発明の第１実施形態である展開型の使い捨ておむつの斜視図である。
【図２】図２は、図１に示す展開型の使い捨ておむつを伸長させた状態を表面シート側から見た平面図である。
【図３】図３は、図１に示す展開型の使い捨ておむつを伸長させた状態を裏面シート側から見た平面図である。
【図４】図４は、図１に示す展開型の使い捨ておむつを着用する手順を説明する図である。
【図５】図５は、本発明の第２実施形態である展開型の使い捨ておむつの斜視図である。
【発明を実施するための形態】
【００１２】
以下本発明をその好ましい第１実施形態に基づき図面を参照しながら説明する。
第１実施形態の展開型の使い捨ておむつ（以下、「おむつ１Ａ」ともいう。）は、図１〜図３に示すように、腹側領域Ａ、背側領域Ｂ及び股下領域Ｃに区分された縦長の吸収性本体１０を備えている。ここで、腹側領域Ａとは着用時に着用者の腹側に位置する領域であり、背側領域Ｂとは着用時に着用者の背側に位置する領域であり、股下領域Ｃとは腹側領域Ａと背側領域Ｂとの間に配される領域である。
本明細書において、「肌対向面」とは、吸収性本体１０を構成する後述する表面シート２などの各部材の表裏両面のうち、着用時に着用者の肌側に配される面であり、「非肌対向面」とは、吸収性本体１０を構成する後述する表面シート２などの各部材の表裏両面のうち、着用時に着用者の肌側とは反対側に向けられる面である。
また、各図に示す「Ｙ方向」は、吸収性本体１０の長手方向に延びる中心線ＣＬに平行な方向である。また各図に示す「Ｘ方向」は、中心線ＣＬに直交する方向であり、吸収性本体１０の幅方向と同じ方向でもある。
【００１３】
おむつ１Ａは、図１〜図３に示すように、腹側領域Ａの左右両側縁及び背側領域Ｂの左右両側縁それぞれが股下領域Ｃの左右両側縁よりも幅方向（Ｘ方向）外方に延出している。そして、股下領域Ｃの左右両側縁が幅方向（Ｘ方向）内方に向かって円弧状に湾曲しており、全体として長手方向（Ｙ方向）中央部が内方に括れた形状を有している。
【００１４】
おむつ１Ａの吸収性本体１０は、図２，図３に示すように、肌対向面側に配された液透過性の表面シート２と、非肌対向面側に配された液難透過性の裏面シート３と、これら両シート２，３間に配された吸収体４とを備えている。
【００１５】
おむつ１Ａにおいては、図２，図３に示すように、表面シート２及び裏面シート３は、それぞれ、長手方向（Ｙ方向）に長い吸収体４の左右両側縁及び前後両端縁から外方に延出している。表面シート２は、図２に示すように、その長手方向（Ｙ方向）の寸法が、裏面シート３の長手方向（Ｙ方向）の寸法と同じであるが、その幅方向（Ｘ方向）の寸法が、裏面シート３の幅方向（Ｘ方向）の寸法より小さくなっている。表面シート２及び裏面シート３はそれぞれ、吸収体４の周縁から外方に延出した延出部において直接的に又は他の部材を介在させて互いに接合されており、吸収体４を挟持・固定している。吸収体４は、パルプ繊維等の繊維の集合体に吸水性ポリマーの粒子を保持させてなる吸収性コア（不図示）と、該吸収性コア（不図示）を被覆するコアラップシート（不図示）とからなる。
【００１６】
図２，図３に示すように、おむつ１Ａの長手方向（Ｙ方向）に沿う両側部それぞれには、Ｙ方向に伸長状態で固定された弾性部材５１を有する立体ギャザー形成用シート５２が、表面シート２の側部に配され固定されており、これによって一対の立体ギャザー５，５（図１参照）が形成されている。また、図２，図３に示すように、おむつ１Ａの長手方向（Ｙ方向）に沿う両側部それぞれには、レッグギャザー形成用のレッグ弾性部材５３がＹ方向に伸長状態に配されており、レッグ弾性部材５３の収縮によりレッグギャザーが形成される。尚、おむつ１Ａの背側領域Ｂ側の長手方向（Ｙ方向）端部に、ウエストギャザー形成用のウエスト部弾性部材をＸ方向に伸長状態に配して、該ウエスト部弾性部材の収縮によりウエストギャザーを形成するようにしてもよい。
【００１７】
おむつ１Ａは、図１〜図３に示すように、背側領域Ｂにおける吸収性本体１０の長手方向（Ｙ方向）に沿う両側部１０ｓ，１０ｓそれぞれから、幅方向（Ｘ方向）外方に延出する止着部材６を有している。具体的に説明すると、おむつ１Ａの止着部材６は、その一端部６１が吸収性本体１０の背側領域Ｂの側部１０ｓにおける吸収体４の側縁よりも幅方向（Ｘ方向）外方の位置にて固定されており、他端部６２側が吸収性本体１０の側部１０ｓ外縁から幅方向（Ｘ方向）外方に延出している。止着部材６は、その形状に特に制限はないが、おむつ１Ａにおいては幅が一定の帯状の形状を有している。おむつ１Ａの止着部材６は、その幅が10ｍｍ以上50ｍｍ以下程度であることが好ましく、吸収性本体１０の側部１０ｓ外縁から幅方向（Ｘ方向）外方に延出する延出長さが30ｍｍ以上120ｍｍ以下程度であることが好ましい。おむつ１Ａにおいては、止着部材６の一端部６１は、吸収性本体１０の側部１０ｓにおける裏面シート３と立体ギャザー形成用シート５２との間に固定されている。尚、止着部材６の一端部６１は、吸収性本体１０の側部１０ｓに固定されていればよく、裏面シート３と立体ギャザー形成用シート５２との間以外に、例えば、側部１０ｓにおける裏面シート３の非肌対向面に固定されていてもよい。
【００１８】
止着部材６には、その肌対向面に肌側固着材６３が設けられ、その非肌対向面に非肌側固着材６４が設けられている。おむつ１Ａにおいては、止着部材６に配された非肌側固着材６４の位置が止着部材６に配された肌側固着材６３の位置よりも外方となっている。尚、肌側固着材６３と非肌側固着材６４との位置に関しては、止着部材６に配された肌側固着材６３の位置が止着部材６に配された非肌側固着材６４の位置よりも外方となっていてもよく、扱いやすさの観点から、止着部材６の肌対向面に配された肌側固着材６３の位置に対応する止着部材６の非肌対向面の位置に非肌側固着材６４が配されていてもよい。
【００１９】
肌側固着材６３は、その大きさに特に制限はないが、止着部材６における吸収性本体１０の側部１０ｓ外縁から延出する部分の面積に対する、肌側固着材６３の面積の割合が、30％以上70％以下程度であることが好ましく、40％以上60％以下程度であることが更に好ましい。
非肌側固着材６４は、その大きさに特に制限はないが、止着部材６における吸収性本体１０の側部１０ｓ外縁から延出する部分の面積に対する、非肌側固着材６４の面積の割合が、30％以上100％以下程度であることが好ましく、40％以上80％以下程度であることが更に好ましい。
【００２０】
また、おむつ１Ａは、図１〜図３に示すように、腹側領域Ａにおける吸収性本体１０の幅方向（Ｘ方向）中心の位置より外方の非肌対向面に一端部７１が固定され他端部７２が自由端部となっている延出部材７を有している。具体的に説明すると、おむつ１Ａの延出部材７は、その一端部７１が、吸収性本体１０の腹側領域Ａの幅方向（Ｘ方向）中心の位置から、即ち、中心線ＣＬから、おむつ１の吸収性本体１０の長手方向（Ｙ方向）に沿う両側部１０ｓ，１０ｓ外縁それぞれの間に、接着剤或いは融着により固定されており、他端部７２が自由端部となっている。特に、おむつ１Ａにおいては、延出部材７の一端部７１が、吸収性本体１０の腹側領域Ａにおける吸収体４の存在する位置の非肌対向面に、接着剤或いは融着により固定されている。延出部材７は、その形状に特に制限はないが、おむつ１Ａにおいては幅が一定の帯状の形状を有している。おむつ１Ａの延出部材７は、その幅が10ｍｍ以上50ｍｍ以下程度であることが好ましく、上述したおむつ１Ａの止着部材６の幅と合掌時の扱いやすさ向上と装着時に止着部材６が延出部材７で覆われて非肌表面側に露出しにくい観点から、延出部材７のほうが幅が広いことが好ましい。おむつ１Ａの延出部材７は、自由端部となっている他端部７２の延出長さが20ｍｍ以上80ｍｍ以下程度であることが好ましく、上述したおむつ１Ａの止着部材６の延出長さと合掌時の扱いやすさの観点から、同じ長さであることが好ましい。
【００２１】
上述したように、おむつ１Ａの延出部材７は、図２，図３に示すように、その一端部７１が吸収性本体１０における吸収体４の存在する位置の非肌対向面に固定されているが、延出部材７の一端部７１は、扱いやすさの観点から、おむつ１Ａの幅方向（Ｘ方向）中心の位置（中心線ＣＬ）からおむつ１の吸収性本体１０の長手方向（Ｙ方向）に沿う側部１０ｓ外縁の間に配されていればよい。
【００２２】
おむつ１Ａにおいては、延出部材７は、図２，図３に示すように、その他端部７２側における、止着部材６と合掌状に固定される面とは反対側の面に、先端側固着材７３が設けられている。先端側固着材７３は、自由端部となっている他端部７２の先端寄りに設けられている。先端側固着材７３は、その大きさに特に制限はないが、延出部材７における固定された一端部７１を除く延出する部分の面積に対する、先端側固着材７３の面積の割合が、30％以上70％以下程度であることが好ましく、40％以上60％以下程度であることが更に好ましい。
【００２３】
おむつ１Ａの延出部材７は、図１〜図３に示すように、使用前においては、自由端部（他端部７２）側を裏面シート３から離間するように２つ折りして、先端側固着材７３を介して延出部材７の他端部７２側が、吸収性本体１０の腹側領域Ａに仮固定されている。このように折り畳まれていると、延出部材７が邪魔になることが少なくなる。使用前のおむつ１Ａにおいては、上述のように２つ折りされた延出部材７の他端部７２が、先端側固着材７３を介して延出部材７の一端部７１上に仮固定されている。尚、２つ折りされた延出部材７の他端部７２は、先端側固着材７３を介して、延出部材７の一端部７１上に仮固定されていなくても、吸収性本体１０の腹側領域Ａに仮固定されていればよく、例えば、延出部材７が配された部分を除く吸収性本体１０の腹側領域Ａの非肌対向面に仮固定されていてもよい。仮固定とは、使用時に指で引っ張って容易に剥離し、再度仮固定可能であり、破れなど仮固定される部位を損傷することなく繰り返し仮固定可能な程度の固定である。
同様に、止着部材６も邪魔にならないよう、使用前は折り畳んで仮固定することが好ましい。折り畳む場合、３つ折りが好ましく、肌側固着材６３の内方で谷折りして折り畳み、さらに非肌側固着材６４側内方を谷折りして折り畳んで、非肌側固着材６４を裏面シート背側非肌面側に仮固定する。あるいは、非肌側固着材６４の内方で谷折りして折り畳み、さらに肌側固着材６３側内方を谷折りして折り畳んで、肌側固着材６３を表面シート背側肌面側に仮固定してもよい。
【００２４】
第１実施形態のおむつ１Ａの形成材料について説明する。
表面シート２、吸収体４及び立体ギャザー形成用シート５２としては、それぞれ、通常、使い捨ておむつ等の吸収性物品に用いられるものであれば、特に制限なく用いることができる。表面シート２としては、例えば、単層又は多層構造の液透過性の不織布や、液透過性の開孔フィルム等を用いることができる。吸収体４としては、例えば、パルプ繊維等の繊維の集合体（不織布であっても良い）又はこれに吸水性ポリマーの粒子を保持させてなる吸収性コアを、透水性の薄紙や不織布からなるコアラップシートで被覆したもの等を用いることができる。また、立体ギャザー形成用シート５２としては、例えば、液不透過性又は撥水性の樹脂フィルムや該樹脂フィルムと不織布との積層体等を用いることができる。立体ギャザーを形成する弾性部材５１及びレッグ弾性部材５３としては、天然ゴム、ポリウレタン、ポリスチレン−ポリイソプレン共重合体、ポリスチレン−ポリブタジエン共重合体、アクリル酸エチル−エチレン等のポリエチレン−αオレフィン共重合体等からなる糸状の伸縮性材料を用いることができる。
【００２５】
肌側固着材６３及び非肌側固着材６４としては、シート基材とフック材とからなるファスニングテープ等を用いることができる。ファスニングテープを形成するフック材としては、例えば、「マジックテープ（登録商標）」（クラレ社製）、「クイックロン（登録商標）」（ＹＫＫ社製）、「マジクロス（登録商標）」（カネボウベルタッチ社製）等におけるオス部材等を用いることができる。シート基材としては、ポリエチレンや、ポリプロピレン、ポリエチレンテレフタレート等などの合成樹脂、及びこれら合成樹脂２種以上の複合材料からなる不織布等を用いることができる。フック材の係合突起（不図示）は、錨形や鉤形等に形成されたものを用いることができる。
また先端側固着材７３としては、接着剤、或いはシート基材とフック材とからなるファスニングテープ等を用いることができる。接着剤としては、通常、使い捨ておむつ等の吸収性物品に用いられるものであれば、特に制限なく用いることができる。先端側固着材７３が接着剤の場合、先端側固着材７３が仮係合する対象面にはシリコン系の剥離剤などが塗布された易剥離処理されたフィルムや不織布を用いる。ファスニングテープを形成するフック材としては、肌側固着材６３及び非肌側固着材６４と同様に、例えば、「マジックテープ（登録商標）」（クラレ社製）、「クイックロン（登録商標）」（ＹＫＫ社製）、「マジクロス（登録商標）」（カネボウベルタッチ社製）等におけるオス部材等を用いることができる。フック材と仮係合するシート基材としては、ポリエチレンや、ポリプロピレン、ポリエチレンテレフタレート等などの合成樹脂、及びこれら合成樹脂２種以上の複合材料からなる不織布等を用いることができる。フック材の係合突起（不図示）は、錨形や鉤形等に形成されたものを用いることができる。
【００２６】
裏面シート３としては、先端側固着材７３が接着剤である場合には、通常、使い捨ておむつ等の吸収性物品に用いられる、液不透過性又は撥水性の樹脂フィルム、或いは該樹脂フィルムと不織布との積層体等を用いることができる。背側における止着部材６のファスニングテープのフック材を固定する予定位置にのみ各種公知の機械的面ファスナーにおけるメス部材を部分的に配した液不透過性又は撥水性の樹脂フィルム等を用いることができる。
また、先端側固着材７３がファスニングテープ（機械的面ファスナーのフック材）である場合には、先端側固着材７３が仮係合する対象面は、ファスニングテープのフック材を押しつけることにより、フック材を止着可能な不織布、例えば、スパンボンド、エアースルー、サーマルボンド、ケミカルボンド等の各製法により製造された不織布を、液不透過性又は撥水性の樹脂フィルムの非肌対向面全面に配した積層体、或いは、ファスニングテープのフック材を固定する予定位置にのみ各種公知の機械的面ファスナーにおけるメス部材を部分的に配した液不透過性又は撥水性の樹脂フィルム等を用いることができる。
【００２７】
止着部材６及び延出部材７は、それぞれ、伸縮性を有していることが好ましく、少なくともそれらの延出方向に伸縮性を有していることが好ましい。伸縮性を有するシートとしては、ウレタンやメタロセン触媒を用いて得られるポリオレフィン樹脂から得られる弾性フィルム、ポリエステル系の弾性フィルム、或いはエラストマー材料からなる中間層の両面に不織布を貼り合せた複合シート等を用いることができる。止着部材６の肌側固着材６３がファスニングテープである場合に、延出部材７として、前記複合シートを用いるならば、該複合シートを構成する不織布としては、ファスニングテープのフック材を押しつけることにより、フック材を止着可能な不織布、例えば、スパンボンド、エアースルー、サーマルボンド、ケミカルボンド等の各製法により製造された不織布を用いることができる。尚、止着部材６及び延出部材７は、非伸縮性である場合には、この種の物品に従来用いられている目付25ｇ／ｍ２〜100ｇ／ｍ２程度の不織布等を特に制限なく用いることができ、止着部材６の肌側固着材６３がファスニングテープである場合には、延出部材７として、上述したファスニングテープのフック材を止着可能な不織布を用いることができる。
【００２８】
各部材の固定には、接着剤或いは熱融着等を利用して固定できる。用いられる接着剤としては、通常、使い捨ておむつ等の吸収性物品に用いられるものであれば、特に制限なく用いることができ、例えば、ホットメルト接着剤を用いることができる。ホットメルト接着剤としては、例えばスチレン−イソプレン−スチレンブロック共重合体（ＳＩＳ）、スチレン−ブタジエン−スチレンブロック共重合体（ＳＢＳ）、スチレン−エチレン−ブチレン−スチレン共重合体（ＳＥＢＳ）等のブロックコポリマー系のホットメルト接着剤が挙げられる。熱融着としては、使い捨ておむつ等の吸収性物品に用いられるものであれば、特に制限なく用いることができ、例えば、高周波シール、超音波シールを用いることができる。
【００２９】
上述した本発明の第１実施形態のおむつ１Ａを使用した際の作用効果について説明する。
おむつ１Ａは、着用時においては、図４に示すように、肌側固着材６３を介して延出部材７と止着部材６とが合掌状に固定され、合掌状に固定された延出部材７及び止着部材６が、背側領域Ｂ側に折り返され、非肌側固着材６４を介して吸収性本体１０の背側領域Ｂの非肌対向面に固定されるようにして、着用される。詳述すると、先ず、図４（ａ）に示すように、着用者の股間部分におむつ１Ａを当て、図４（ｂ）に示すように、腹側領域Ａに配された各延出部材７と背側領域Ｂに配された各止着部材６とを止着部材６の肌対向面側の肌側固着材６３を介して合掌状に固定することにより、着用時おいて着用後のおむつのイメージを形作る。このように、おむつ１Ａは、着用時に、着用後のおむつの形をイメージすることができるので、安心感が向上する。
【００３０】
その後、おむつ１Ａは、図４（ｃ）に示すように、合掌状に固定された延出部材７及び止着部材６を、背側領域Ｂ側に折り返し、止着部材６の非肌対向面側の非肌側固着材６４を介して吸収性本体１０の背側領域Ｂの非肌対向面に固定して着用される。このように着用されれば、非肌側固着材６４による固定部分が着用者のそけい部、お腹、或いは脚にこすれる場合が殆どなく、こすれによる赤みが発生し難く、使用感が向上する。
【００３１】
特に、合掌状に固定された延出部材７及び止着部材６が、非肌側固着材６４を介して、吸収性本体１０の背側領域Ｂの非肌対向面における、着用者の腸骨稜近傍に対応する位置にて固定されれば、そけい部、お腹、或いは脚にこすれる場合が殆どなく、こすれによる赤みが発生し難くかつ装着者とおむつとのフィット性の向上効果を奏する。その為、固定位置を着用者の腸骨稜近傍に対応する位置に調整する観点から、止着部材６及び延出部材７は、それぞれ、伸縮性を有していることが好ましい。
【００３２】
次に、本発明の第２実施形態の展開型の使い捨ておむつ１Ｂ（以下、「おむつ１Ｂ」とも言う。）について、図５に基づいて説明する。
第２実施形態のおむつ１Ｂについては、第１実施形態のおむつ１Ａと異なる点について説明する。特に説明しない点は、おむつ１Ａと同様であり、おむつ１Ａの説明が適宜適用される。
【００３３】
おむつ１Ｂは、図５に示すように、延出部材７が、複数本（好ましくは2本以上5本以下）設けられており、各延出部材７の一端部７１が幅方向（Ｘ方向）に並んで配されている。詳述すると、おむつ１Ｂにおいては、延出部材７は、腹側領域Ａにおける吸収性本体１０の幅方向（Ｘ方向）中心（中心線ＣＬ）の位置から、吸収性本体１０の両側部１０ｓ，１０ｓ外縁それぞれの間に、中心線ＣＬ寄りの内側延出部材７ａ、及び幅方向（Ｘ方向）外方側の外側縁出部材７ｂの２本を有している。各延出部材７の内側延出部材７ａ及び外側縁出部材７ｂは、それぞれ、一端部７１が、中心線ＣＬからおむつ１の吸収性本体１０の長手方向（Ｙ方向）に沿う側部１０ｓ外縁の間にて、吸収性本体１０の非肌対向面に、幅方向（Ｘ方向）に一直線上に並んで配されている。更に詳述すると、おむつ１Ｂにおいては、内側延出部材７ａの一端部７１も外側縁出部材７ｂの一端部７１も、吸収性本体１０における吸収体４の存在する位置の非肌対向面に固定されている。内側延出部材７ａの一端部７１と、外側縁出部材７ｂの一端部７１との間隔は、０ｍｍ以上15ｍｍ以下程度であることが好ましい。尚、おむつ１Ｂにおいては、内側延出部材７ａの幅と外側縁出部材７ｂの幅は、同じ幅であるが、異なる幅であってもよい
【００３４】
おむつ１Ｂにおいては、図５に示すように、各延出部材７の内側延出部材７ａ及び外側縁出部材７ｂは、それぞれ、その他端部７２側に先端側固着材７３を有している。内側延出部材７ａ及び外側縁出部材７ｂは、それぞれ、使用前においては、自由端部（他端部７２）側を裏面シート３から離間するように２つ折りして、先端側固着材７３を介して他端部７２側が、吸収性本体１０の腹側領域Ａに仮固定されている。詳述すると、おむつ１Ｂにおいては、内側延出部材７ａの他端部７２が、先端側固着材７３を介して吸収性本体１０の腹側領域Ａに仮固定されており、外側縁出部材７ｂの他端部７２が、先端側固着材７３を介して、２つ折りされた内側延出部材７ａ上に仮固定されている。このように、外側縁出部材７ｂは、使用前においては、先端側固着材７３及び２つ折りされた内側延出部材７ａを介して、その他端部７２側が、吸収性本体１０の腹側領域Ａに仮固定されている。尚、おむつ１Ｂにおいては、上述したように、外側縁出部材７ｂの他端部７２が、先端側固着材７３を介して、２つ折りされた内側延出部材７ａ上に仮固定されているが、内側延出部材７ａの一端部７１と、外側縁出部材７ｂの一端部７１との間隔が十分に広い場合には、内側延出部材７ａの他端部７２のみならず、外側縁出部材７ｂの他端部７２も、先端側固着材７３を介して、吸収性本体１０の腹側領域Ａの非肌対向面上に仮固定されていてもよい。
【００３５】
上述した本発明の第２実施形態のおむつ１Ｂを使用した際の作用効果について説明する。
第２実施形態のおむつ１Ｂの効果については、第１実施形態のおむつ１Ａの効果と異なる点について説明する。特に説明しない点は、第１実施形態のおむつ１Ａの効果と同様であり、第１実施形態の展開型の使い捨ておむつ１Ａの効果の説明が適宜適用される。
【００３６】
第２実施形態のおむつ１Ｂは、図５に示すように、吸収性本体１０の腹側領域Ａに延出部材７が、複数本設けられているので、例えば、着用者のサイズが比較的小さな場合には、腹側領域Ａに配された中心線ＣＬ寄りの各内側延出部材７ａと背側領域Ｂに配された各止着部材６とを用いて、着用することができ、着用者のサイズが比較的大きな場合には、腹側領域Ａに配された幅方向（Ｘ方向）外方側の各外側延出部材７ｂと背側領域Ｂに配された各止着部材６とを用いて、着用することができる。このように、おむつ１Ｂは、着用者のサイズに合わせて、複数本の延出部材７を使い分けすることができ、着用感が向上する。
【００３７】
本発明の展開型の使い捨ておむつは、上述した第１実施形態のおむつ１Ａ、第２実施形態のおむつ１Ｂに何ら制限されるものではなく、適宜変更可能である。
例えば、上述したおむつ１Ａの有する延出部材７、及び上述したおむつ１Ｂの有する内側延出部材７ａ及び外側延出部材７ｂは、それぞれ、図１，図５に示すように、帯状部材の一端部７１の非肌対向面が、接着剤或いは融着により吸収性本体１０の腹側領域Ａに固定されているが、一端部７１が二股状に分かれた形状であってもよい。このように二股状に分かれた一端部７１が吸収性本体１０の腹側領域Ａに固定されていれば、固定強度が向上する。
【００３８】
また、おむつ１Ａ，１Ｂが、背側領域Ｂ側の長手方向（Ｙ方向）端部に、ウエストギャザー形成用のウエスト部弾性部材をＸ方向に伸長状態に配して、該ウエスト部弾性部材の収縮によりウエストギャザーを形成している場合には、サイズ調整の観点から、該ウエスト部弾性部材上に、止着部材６の一端部６１が固定されていることが好ましい。
【００３９】
上述した実施形態に関し、さらに以下の展開型の使い捨ておむつを開示する。
【００４０】
＜１＞
腹側領域、背側領域及び股下領域に区分された縦長の吸収性本体を備える展開型の使い捨ておむつであって、背側領域における前記吸収性本体の長手方向に沿う両側部それぞれから、幅方向外方に延出する止着部材と、腹側領域における前記吸収性本体の幅方向中心の位置より外方の非肌対向面に一端部が固定され他端部が自由端部となっている延出部材とを有し、
前記止着部材には、その肌対向面に肌側固着材が設けられ、その非肌対向面に非肌側固着材が設けられており、着用時においては、前記肌側固着材を介して前記延出部材と前記止着部材とが合掌状に固定され、合掌状に固定された前記延出部材及び前記止着部材が、背側領域側に折り返され、前記非肌側固着材を介して前記吸収性本体の前記背側領域の非肌対向面に固定される展開型の使い捨ておむつ。
【００４１】
＜２＞
前記止着部材における肌側固着材及び非肌側固着材は機械的面ファスナーのフック材である＜１＞に記載の使い捨ておむつ。
＜３＞
前記延出部材及び前記止着部材は、それぞれ、伸縮性を有している＜１＞又は＜２＞に記載の展開型の使い捨ておむつ。
＜４＞
前記延出部材は、複数本設けられており、各該延出部材の一端部が幅方向に並んで配されている＜１＞〜＜３＞の何れか１に記載の展開型の使い捨ておむつ。
＜５＞
前記延出部材は、該延出部材の一端部が、前記吸収性本体の幅方向中心の位置から前記吸収性本体の長手方向に沿う側部外縁の間に配されている＜１＞〜＜４＞の何れか１に記載の展開型の使い捨ておむつ。
＜６＞
前記延出部材は、その他端部側における、前記止着部材と合掌状に固定される面とは反対側の面に、先端側固着材が設けられており、該先端側固着材は、機械的面ファスナーのフック材又は接着剤であり、使用前においては、該先端側固着材を介して前記延出部材の他端部側が、前記吸収性本体の前記腹側領域に仮固定されている＜１＞〜＜５＞の何れか１に記載の展開型の使い捨ておむつ。
＜７＞
前記先端側固着材は、機械的面ファスナーのフック材であり、該先端側固着材で使用前に仮固定される対象面は、前記フック材と係合可能な不織布である＜６＞に記載の使い捨ておむつ。
＜８＞
前記先端側固着材は、接着剤であり、該先端側固着材で使用前に仮固定される対象面は、剥離処理されたフィルム又は不織布である＜６＞に記載の使い捨ておむつ。
＜９＞
前記吸収性本体は、肌対向面側に配された液透過性の表面シートと、非肌対向面側に配された液難透過性の裏面シートと、これら両シート間に配された吸収体とを備えており、
前記表面シート及び前記裏面シートはそれぞれ、前記吸収体の周縁から外方に延出した延出部において直接的に又は他の部材を介在させて互いに接合されており、該吸収体を挟持・固定している＜１＞〜＜８＞の何れか１に記載の展開型使い捨ておむつ。
＜１０＞
立体ギャザー及びレッグギャザーが形成された＜１＞〜＜９＞の何れか１に記載の使い捨ておむつ。
【００４２】
＜１１＞
前記止着部材は、その幅が１０ｍｍ以上５０ｍｍ以下であり、前記吸収性本体の側部外縁から幅方向（Ｘ方向）外方に延出する延出長さが３０ｍｍ以上１２０ｍｍ以下である＜１＞〜＜１０＞の何れか１に記載の使い捨ておむつ。
＜１２＞
前記吸収性本体は、肌対向面側に配された液透過性の表面シートと、非肌対向面側に配された液難透過性の裏面シートと、これら両シート間に配された吸収体とを備えており、
前記止着部材の一端部は、前記吸収性本体の側部における前記裏面シートと立体ギャザー形成用シートとの間に固定されているか、又は該吸収性本体の側部における該裏面シートの非肌対向面に固定されている＜１＞〜＜１１＞の何れか１に記載の使い捨ておむつ。
＜１３＞
前記止着部材に配された前記非肌側固着材の位置が該止着部材に配された前記肌側固着材の位置よりも外方となっている＜１＞〜＜１２＞の何れか１に記載の使い捨ておむつ。
＜１４＞
前記止着部材の肌対向面に配された前記肌側固着材の位置に対応する該止着部材の非肌対向面の位置に前記非肌側固着材が配されていている＜１＞〜＜１３＞の何れか１に記載の使い捨ておむつ。
＜１５＞
前記肌側固着材は、前記止着部材における前記吸収性本体の側部外縁から延出する部分の面積に対する、前記肌側固着材の面積の割合が、３０％以上７０％以下であり、好ましくは、４０％以上６０％以下である＜１＞〜＜１４＞の何れか１に記載の使い捨ておむつ。
＜１６＞
前記非肌側固着材は、前記止着部材における前記吸収性本体の側部外縁から延出する部分の面積に対する、前記非肌側固着材の面積の割合が、３０％以上１００％以下であり、好ましくは、４０％以上８０％以下である＜１＞〜＜１５＞の何れか１に記載の使い捨ておむつ。
＜１７＞
前記延出部材の一端部が、前記吸収性本体の腹側領域における吸収体の存在する位置の非肌対向面に、接着剤或いは融着により固定されている＜１＞〜＜１６＞の何れか１に記載の使い捨ておむつ。
＜１８＞
前記延出部材は、幅が一定の帯状の形状を有し、その幅が１０ｍｍ以上５０ｍｍ以下である＜１＞〜＜１７＞の何れか１に記載の使い捨ておむつ。
＜１９＞
前記止着部材の幅より、前記延出部材のほうが幅広である＜１＞〜＜１８＞の何れか１に記載の使い捨ておむつ。
【００４３】
＜２０＞
前記先端側固着材は、自由端部となっている前記延出部材の他端部の先端寄りに設けられており、該先端側固着材は、前記延出部材における固定された一端部を除く延出する部分の面積に対する、該先端側固着材の面積の割合が、３０％以上７０％以下であり、好ましくは、４０％以上６０％以下である＜６＞〜＜１９＞の何れか１に記載の使い捨ておむつ。
＜２１＞
前記肌側固着材及び前記非肌側固着材としては、シート基材とフック材とからなるファスニングテープを用い、該ファスニングテープを形成する該フック材としては、オス部材を用い、該シート基材としては、ポリエチレンや、ポリプロピレン、ポリエチレンテレフタレート何れかの合成樹脂、及びこれら合成樹脂２種以上の複合材料からなる不織布を用いる＜１＞〜＜２０＞の何れか１に記載の使い捨ておむつ。
＜２２＞
前記先端側固着材としては、接着剤、或いはシート基材とフック材とからなるファスニングテープを用い、前記接着剤の場合、該先端側固着材が仮係合する対象面には剥離処理されたフィルム又は不織布を用い、前記ファスニングテープを形成するフック材としては、オス部材を用い、該フック材と仮係合するシート基材としては、ポリエチレンや、ポリプロピレン、ポリエチレンテレフタレート何れかの合成樹脂、及びこれら合成樹脂２種以上の複合材料からなる不織布を用いる＜１＞〜＜２１＞の何れか１に記載の使い捨ておむつ。
＜２３＞
前記吸収性本体は、肌対向面側に配された液透過性の表面シートと、非肌対向面側に配された液難透過性の裏面シートと、これら両シート間に配された吸収体とを備えており、
前記先端側固着材が接着剤であり、前記裏面シートは、液不透過性又は撥水性の樹脂フィルム、或いは該樹脂フィルムと不織布との積層体を用い、背側における前記止着部材のファスニングテープのフック材を固定する予定位置にのみ機械的面ファスナーにおけるメス部材を部分的に配した液不透過性又は撥水性の樹脂フィルムを用いる＜１＞〜＜２２＞の何れか１に記載の使い捨ておむつ。
＜２４＞
前記吸収性本体は、肌対向面側に配された液透過性の表面シートと、非肌対向面側に配された液難透過性の裏面シートと、これら両シート間に配された吸収体とを備えており、
前記先端側固着材がファスニングテープであり、前記裏面シートは、ファスニングテープのフック材を押しつけることにより、フック材を止着可能な不織布であり、スパンボンド、エアースルー、サーマルボンド、ケミカルボンドの各製法により製造された不織布を、液不透過性又は撥水性の樹脂フィルムの非肌対向面全面に配した積層体、或いは、ファスニングテープのフック材を固定する予定位置にのみ機械的面ファスナーにおけるメス部材を部分的に配した液不透過性又は撥水性の樹脂フィルムを用いる＜１＞〜＜２２＞の何れか１に記載の使い捨ておむつ。
＜２５＞
前記止着部材及び前記延出部材は、それぞれ、少なくともそれらの延出方向に伸縮性を有している＜１＞〜＜２４＞の何れか１に記載の使い捨ておむつ。
＜２６＞
前記止着部材及び前記延出部材は、伸縮性を有するシートを用い、
前記伸縮性を有するシートは、ウレタンやメタロセン触媒を用いて得られるポリオレフィン樹脂から得られる弾性フィルム、ポリエステル系の弾性フィルム、或いはエラストマー材料からなる中間層の両面に不織布を貼り合せた複合シートを用いた＜１＞〜＜２５＞の何れか１に記載の使い捨ておむつ。
＜２７＞
各部材の固定には、接着剤或いは熱融着で固定し、用いられる接着剤としては、スチレン−イソプレン−スチレンブロック共重合体（ＳＩＳ）、スチレン−ブタジエン−スチレンブロック共重合体（ＳＢＳ）、スチレン−エチレン−ブチレン−スチレン共重合体（ＳＥＢＳ）のブロックコポリマー系のホットメルト接着剤であり、前記熱融着としては、高周波シール又は超音波シールを用いる＜１＞〜＜２６＞の何れか１に記載の使い捨ておむつ。
【符号の説明】
【００４４】
１Ａ，１Ｂ  展開型の使い捨ておむつ
２  表面シート
３  裏面シート
４  吸収体
５  立体ギャザー
５１  立体ギャザー形成用の弾性部材
５２  立体ギャザー形成用シート
５３  レッグギャザー形成用のレッグ弾性部材
６  止着部材
６１  一端部
６２  他端部
６３  肌側固着材
６４  非肌側固着材
７  延出部材
７１  一端部
７２  他端部
７３  先端側固着材
１０  吸収性本体
１０ｓ  長手方向（Ｙ方向）に沿う側部
Ａ  腹側領域
Ｂ  背側領域
Ｃ  股下領域
ＣＬ  長手方向に延びる中心線
【図１】
2015089468.tif 000003
【図２】
2015089468.tif 000004
【図３】
2015089468.tif 000005
【図４】
2015089468.tif 000006
【図５】
2015089468.tif 000007